(57)【特許請求の範囲】
【請求項１】
少なくとも一対の互いに対向するニードルベッドと、ニードルベッド上に設けた糸道レールの各トラックに配置され、ニードルベッド上を移動しニードルベッドの針に給糸するための複数の給糸口とを有する横編機を用いて、ミラノリブなどのリブ編みを含む両面編地をダブルシステム以上で編成する方法において、編地側端部の少なくとも一方に以下の工程によりパイピングを形成するようにした；
ａ）前後ベッドの各１針以上の適宜数の針を導入し、コース編成の編み終わり側の側端部を一方のベッドの針で編み終わり、これに続くコース編成の編み始めを他方のベッドの針で編み始める工程、
ｂ）側端部の編み終わりが後ベッドの針の場合には、手前側に位置するトラックの給糸口から順番にコース編成を行い、側端部の編み終わりが前ベッドの針の場合には、後方側のトラックの給糸口から順番にコース編成を行う工程。
【請求項２】
編地の上端部に側端部に形成したパイピングに続く第２のパイピング部を伏せ目処理により形成した請求項１に記載のリブ編みを含む両面編地の編成方法。
【請求項３】
複数の異なる編糸によりダブル編成以上で編まれたミラノリブなどのリブ編みを含む両面編地の編地側端部を前ニットまたは後ニットの一方で編み終わり、これに続くコース編成の編み始めを前ニットまたは後ニットの他方で編み始めることで編地側端部に中空のパイピングを形成し、且つ編地の端で各編糸同士が互いに交絡することなく、且つそれぞれがコース方向に連続するように形成した編地。
【発明の詳細な説明】
【０００１】
【発明の属する技術分野】
本発明は前後少なくとも一対のニードルベッドと給糸口とを備えた横編機によるミラノリブなどのリブ編みを含む両面編地の編成方法およびその編地に関し、特に編地の側縁の美観と生産性を向上させることに関する。
【０００２】
【従来の技術】
リブ編みを含む両面編地の一つとしてミラノリブがある。ミラノリブは後天竺、前天竺、ゴムの３つのコース編成により基本編成が構成される。この基本編成を繰り返すことでゴム編みだけによる場合の横方向の伸縮性の過大を天竺編みにより防ぎ形態安定性を備えた編地を得ることができ、衿やニットスーツの素材として利用される。
【０００３】
ミラノリブの従来の編成ステップを図６に示す。この例では、キャリッジの１回の往動または復動の際に色糸が１ケ使用され、１コースのみが編成されるいわゆるシングル編成で、キャリッジの３回の移動によりミラノリブの基本編成を完成させる。図に示すようにステップ１では、色糸（給糸口）を編地の右外側まで移動させて後ベッドの針ａ〜ｎに給糸を行いミラノリブの最初の後天竺コース１０１の編成を行う。ステップ２では、キャリッジを反転させ、色糸を編地の左外側まで移動させて前ベッドの針Ｍ〜Ａに給糸を行い続く前天竺コース１０２の編成を行う。ステップ３では、再度キャリッジを反転して色糸を編地の右外側まで移動させて前ベッド針Ａ〜Ｍおよび後ベッドの針ａ〜ｎに編糸をジグザグ状に供給してゴム編みコース１０３の編成を行う。このステップ１〜３に示す編成を繰り返すことでコース１０４，１０５，１０６，…、と各コースが編成されミラノリブを編み組織とする編地を得る。従来の方法では編地の側縁に対して特別な処理は行われていない。
【０００４】
このようにして編成されるミラノリブの編目ループの組織図を横編機のニードルベッド上方から見た図を図７に示す。
ゴム編みコース１０３に続いて行われる後天竺コース１０４の編み始めの針は後ベッドの針ｎであり、ゴム編みコース１０３で最後に使用された針と一致する。そのためゴム編みの最終に形成された編目ループ１０３ｎから同じウエールの次に形成される編目ループ１０４ｎに渡って渡り糸１１０が延びることとなる。同じような現象は続くゴム編みコース１０６とそれに続く後天竺コース１０７との間でも渡り糸１１１として起こる。ミラノリブに限らずリブ編みを含む両面編地を編成する場合には上記のように連続するコース編成で同じ針が続けて編成に導入されることは避けられない。渡り糸は、編地の側縁で外側に膨らみ、編地側縁の美観を損ねる原因となる。また、シングル編成による編成のため生産性が著しく低くなる。
【０００５】
生産性を高めるために上記したシングル編成に代えて２ケないし３ケの色糸を使用するダブル編成ないしトリプル編成によりミラノリブを編成することも可能であるが、この場合には、上記した渡り糸の発生に加え、各色糸の編糸同士が編地側端において交絡する現象も合わさり編地の美観は更に劣化してしまう。
【０００６】
【発明が解決しようとする課題】
本発明は、ミラノリブなどのリブ編みを含む両面編地の側端の美観と生産性を向上させるための編成方法とその編地を提供することを目的とする。
【０００７】
【課題を解決するための手段】
本発明では、少なくとも一対の互いに対向するニードルベッドと、ニードルベッド上に設けた糸道レールの各トラックに配置され、ニードルベッド上を移動しニードルベッドの針に給糸するための複数の給糸口とを有する横編機を用いて、ミラノリブなどのリブ編みを含む両面編地をダブルシステム以上で編成する方法において、編地側端部の少なくとも一方に以下の工程によりパイピングを形成するようにした；
ａ）前後ベッドの各１針以上の適宜数の針を導入し、コース編成の編み終わり側の側端部を一方のベッドの針で編み終わり、これに続くコース編成の編み始めを他方のベッドの針で編み始める工程、
ｂ）側端部の編み終わりが後ベッドの針の場合には、手前側に位置するトラックの給糸口から順番にコース編成を行い、側端部の編み終わりが前ベッドの針の場合には、後方側のトラックの給糸口から順番にコース編成を行う工程。
【０００８】
また、編地の上端部に側端部に形成したパイピングに続く第２のパイピング部が伏せ目処理により形成した。
【０００９】
また、複数の異なる編糸によりダブル編成以上で編まれたミラノリブなどのリブ編みを含む両面編地の編地側端部を前ニットまたは後ニットの一方で編み終わり、これに続くコース編成の編み始めを前ニットまたは後ニットの他方で編み始めることで編地側端部に中空のパイピングを形成し、且つ編地の端で各編糸同士が互いに交絡することなく、且つそれぞれがコース方向に連続するように形成した編地とした。
【００１０】
【発明の実施の形態】
本発明の編成方法とその編地について以下図面と共に説明する。
＜実施例１＞
本発明の編成方法を衿に適用した例であり、リブ編みを含む両面編み組織としてミラノリブが採用される。
図１は、編成される衿編地１を示し、図２は衿編地１の編成ステップを示した図である。実施例の編成に使用される横編機は、少なくとも一対の互いに対向するニードルベッドと、ニードルベッド上に設けた糸道レールの各トラックに配置され、ニードルベッド上を移動し、ニードルベッドの針に給糸するための複数の給糸口とトリプル編成可能な３基のカムシステムを搭載したキャリッジを備える。これによりキャリッジの１回の往動または復動でゴム、前天竺、後天竺の３コースからなるミラノリブの基本編成を完成する。
【００１１】
図２に示すアルファベットＡ〜Ｍは、前後に対向配置したニードルベッドのうち前ベッドＦＢの針を、アルファベッドａ〜ｎは、後ベッドＢＢの針をそれぞれ示す。図において左に示す１ｓｔ、２ｎｄ、３ｒｄはキャリッジの進行方向の先行側からのカムシステムを示す。図の右に示した矢印はキャリッジの進行方向を示し、また括弧内の数字１，２，３は、ニードルベッド上に設けた糸道レール（不図示）上を往復動する色糸（給糸口）のトラックナンバーを示す。このトラックナンバーは、編機の手前側を１とし、大きい数字は後方側の色糸を示す。図に示す○は、衿編地の本体部分３のニットループを示し、◎は、衿編地１の本体部分３の両端に設けた側端部５ｒ，５ｌのニットループを示す。この側端部５は、後述するが中空のパイピングとして形成される。尚、衿の編成に使用される針数は説明の便宜上、実際の針数よりも少なくした。
【００１２】
次に衿の編地の編成について説明する。先ずステップ１は、キャリッジが右行きのコースで、編地の左側から編み始められる。先行（１ｓｔ）のカムシステムでは、色糸１を使用して編成が行われる。このコースはミラノリブの後天竺コースで、前ベッドの針Ａ〜Ｃに編糸を供給して編地の左側端部分５ｌを前ニットした後、後ベッドの針ｄ〜ｎに編糸を供給して本体部分３と右側端部５ｒを後ニットする。中行（２ｎｄ）のカムシステムでは、色糸２を使用して編成が行われる。このコースは本体部分３を前天竺とするコースで、前ベッドの針Ａ〜Ｊに編糸を供給して編地の左側端部５ｌと本体部分３を前ニットした後、後ベッドの針ｌ〜ｎに編糸を供給して右側端部５ｒを後ニットする。後行（３ｒｄ）のカムシステムでは、色糸３を使用して編成が行われる。このコースは本体部分３をゴム編みとするコースで、前ベッドの針Ａ〜Ｃに編糸を供給して編地の左側端部５ｌを前ニットとした後、後ベッドの針ｄ〜ｋ、前ベッドの針Ｄ〜Ｊに編糸を供給して本体部分３をゴム編みした後、後ベッドの針ｌ〜ｎに編糸を供給して右側端部５ｒを後ニットする。上記の編成により本体部分３にミラノリブからなる編み組織を得るとともに編地の左側端部５ｌにおいて前ニットによる連続した編目コースを、編地の右側端部５ｒにおいて後ニットによる連続した編目コースを得る。
【００１３】
次のステップ２は、キャリッジが左行きのコースで、衿編地１の右側から編み始められる。このステップ２においてもカムシステムと色糸および衿編地１の本体部分３であるミラノリブの編み組織の関係はステップ１と同じで、先行が色糸１で後天竺、中行が色糸２で前天竺、後行が色糸３でゴム編みとする。
先行（１ｓｔ）のカムシステムでは、前ベッドの針Ｍ〜Ｋに編糸を供給して編地の右側端部５ｒを前ニットした後、後ベッドの針ｋ〜ｄに編糸を供給して本体部分３を編成した後、後ベッドの針ｃ〜ａに編糸を供給して左側端部５ｌを後ニットする。中行（２ｎｄ）のカムシステムでは、前ベッドの針Ｍ〜Ｄに編糸を供給して編地の右側端部５ｒと本体部分３を前ニットした後、後ベッドの針ｃ〜ａに編糸を供給して左側端部５ｌを後ニットする。後行（３ｒｄ）のカムシステムでは、前ベッドの針Ｍ〜Ｋに編糸を供給して編地の右側端部５ｒを前ニットとした後、後ベッドの針ｋ〜ｄ、前ベッドの針Ｊ〜Ｄに編糸を供給して本体部分３をゴム編みした後、後ベッドの針ｃ〜ａに編糸を供給して左側端部５ｌを後ニットする。上記の編成により編地のミラノリブからなる本体部分３を得ると共に、編地の左側端部５ｌに後ニット、編地の右側端部５ｒに前ニット、による連続した編目コースを得る。
【００１４】
そして上記ステップ１とステップ２の編成を繰り返し行うことで、ミラノリブからなる編地本体部分３の両側端側に中空のパイピング部分を形成する。本実施例では、パイピングは編地の左右の各側端からの前３針、後３針の計６針により形成されるが、少なくとも前後１針以上であればよい。また、必要に応じ本体部分３の風合いにマッチするように側端部５の編目ループの大きさを調整してバランスをとることが望ましい。このパイピングは、左側端部５ｌにおいてはコースの編み終わりとなる後ベッドの針ｃ〜ａ、とこれに続くコースの編み始めとなる前ベッドの針Ａ〜ＣによりＣ字の如くコース方向に連続した編目列として、色糸１、色糸２、色糸３により各コースが順番に形成されるため編地の端で編糸同士が交絡することなく仕上がりの美しい編地となる。同様に右側端部５ｒにおいては後ベッドの針ｌ〜ｎと、この針ｎに続いて前ベッドの針Ｍ〜Ｋにより連続したコースとして形成されるため編地の端が美しい。なお、前ベッドの針を編み終わりとし、右側端５ｒを針Ｋ〜Ｍ、ｎ〜ｌの順に、左側端５ｌを針Ｃ〜Ａ、ａ〜ｃの順で給糸してパイピングを形成する場合には、色糸１を後行、色糸２を中行、色糸３を先行のカムシステムに割り当てるようにして編糸同士の交絡を防ぐ。
【００１５】
＜応用例＞
次に本発明の編成方法をニットスーツ１１の編成に適用した例について以下説明する。図３は、ニットスーツ１１の右側の半身を示す。図３−ａは、編み上がった状態を示し、図３−ｂは、図３−ａの破線で示す折り返し線１３に沿って衿部１７を折り曲げた実際の着用状態を示す。前右身頃１５は、別に編まれた不図示の後身頃や袖部と縫合され、完成品となるために編地の左側端を含むこの縫合を行う部分（肩ライン１９、アームホール２１、脇ライン２３）は、完成品となった時点では製品の裏側に隠れるのでパイピングの形成は行わない。これに対し、前右身頃１５の衿部１７を含くむ身開き側（右側端）２５は、それ自体が最終製品として仕上がるため端部処理としてのパイピングが形成される。
【００１６】
上記のように編まれる前右身頃１５の編成ステップについて、図４および図５を使って説明する。図４の編成ステップ１および２は、編地の左側端部における端部処理（パイピング）を省略したことを除いては先の実施例１における図２のステップ１，２と同じである。この編成を繰り返し行うことで身頃を脇下部２４まで編成する。脇下部２４以降において編み幅を減少させるステップを上記ステップ１，２の編成の間に挿入してアームホール２１を形成するとともに衿上端１７ａの折り返し部の手前までのコース編成を行う。続くステップ３で右行きにコース編成を行い、各色糸１〜３を編地１５の右側に停止させる。
【００１７】
次にステップ４〜９は、衿上端部１７ａのコース編成とこの衿上端部１７ａのコースの解れ止めとしての伏せ目処理の編成のステップを示す。先ずステップ４にて、先行、中行のシステムにより色糸１，２を連れてコース編成を行い、色糸１，２を編地の左側に移動させる。同時に後行のシステムで色糸３を使って前ベッドの針M〜Ｋに前ニットを行う。
【００１８】
伏せ目処理は、トリプル編成からシングル編成に切り換えて色糸３を使って行われる。ここの伏せ目処理では、先に形成された前右身頃１５の右側端部に形成したパイピング２５ａに連続する第２のパイピング２５ｂを衿上端部１７ａに形成することで衿の縁の全体に端部処理を施す。ステップ５では、後ベッドの針ｌ〜ｎに給糸して後ニットを行う。続くステップ６では、ステップ４にて前ニットされた前ベッドの針Ｋ，Ｌ，Ｍに係止される編目ループを編地の内側に位置する前ベッドの針Ｊ，Ｋ，Ｌへ移し替える。ステップ７は、移し替えられた編目ループに続く編目ループを形成するために前ベッドの針Ｌ〜Ｊに給糸する。ステップ８は、ステップ５にて後ニットされた後ベッドの針ｌ，ｍ，ｎに係止される編目ループを編地の内側に位置する後ベッドの針ｋ，ｌ，ｍへ移し替える。
【００１９】
この伏せ目処理の間の編目ループの移し替えを行うには、一旦編目ループを不図示のトランスファージャックベッドに預けた後、同ベッドをラッキングして元のニードルベッドの隣の針へと移し戻す工程が挿入されるが、図にはその説明を省略した。トランスファージャックベッドは、ニードルベッドの上に設けられた目移し用のトランスファージャックを列設させた補助ベッドのことで、例えば島精機製コンピュータ横編機ＳＥＳ−１２２ＲＴ（製品名）に搭載されている。また、本実施例のように前後一対のニードルベッドしか備えないような横編機の場合には、例えば前ベッドの奇数番目の針で前ニットを、後ベッドの偶数番目の針で後ニットを行うようにして、前後ベッドのそれぞれ１本置きの針を使用して編地を編成するようにすれば対向するベッド上に目移し用の空針を確保でき、これを使って編目ループの移し替えを行うようにする。
【００２０】
上記の編成により衿上端部１７ａのウエール数（針立て数）が前後それぞれ１ウエールずつ減少したことになる。この上記したステップ５〜８と同様の編成を衿上端部１７ａのウエールが全て伏せ目処理されるまで続く針に対して繰り返し行い衿上端部１７ａの伏せ目編成を終了する。その後、図示しないが、色糸３でステップ４の先行、中行に続くミラノリブのゴム編みコースを左向きに行い、色糸１，２，３の全てを編地の左側の揃えた後、再度トリプルニットを行いながら肩ライン１９までの編成を行うことで前右身頃１５を編み終える。
【００２１】
上記は、角度Ｐを９０度とする衿パターンの場合の伏せ目処理で、シングル編成によりパイピングが１コース形成される毎に伏せ目処理が行われる。これに対し、図３に衿上端部が破線Ｑで示すような衿パターンの場合には、衿上端部の長さは１７ａよりも長くなる。このような場合には衿が破線Ｑで示す外形を得るように身頃部１５と衿部１７のコース編成を行う間に、衿側端側の針から順次不作動とする”引き返し編成”を行う。その後この引き返し編成に続いて伏せ目処理を行うのであるが、前述のように衿の上端部の長さが長くなるのでその分パイピング部の編目のループ長を大きめに調整して形成するようにする。編目ループ長の調整だけでは不十分な場合には、衿角部の角度や衿上端部の長さに応じてパイピング部が２コースまたは３コース形成される毎に伏せ目処理を行うようにする。この場合は、シングル編成に代えてダブル編成あるいはトリプル編成により、且つ上記第１のパイピング形成の場合と同じように端で色糸の各編糸同士が交差しないような条件でパイピングを形成するようにすればよい。
【００２２】
なお、上記の実施例、応用例について両面編地としてミラノリブをトリプル編成を行い、１回のキャリッジの往動または復動によりミラノリブの基本編成を完了する例について説明したが、本発明の編成方法は上記ミラノリブに限られるものではなく、例えば２つ以上のコースの集合で基本編成を構成するようなハーフミラノリブ、ピケ、ポンチローマなど他のリブ編みに対しても適用可能であり、また総針によるゴム編みをダブル編成、トリプル編成する場合にも適用できる。
【００２３】
【発明の効果】
上記したように本発明によればリブ編みを含む両面編地の側端部において渡り糸の発生がないだけでなく複数の色糸を同時に使用しても各色糸の編糸同士が交絡することが起こらないので編地の美観と生産性を高めることができる。
【図面の簡単な説明】
【図１】本発明の実施例１の衿編地を示す。
【図２】衿編地の編成ステップを示した図である。
【図３】本発明の編成方法をニットスーツの編成に適用させた応用例を示し、図３−ａは、編み上がった状態のニットスーツの右側の半身を示し、図３−ｂは、図３−ａの破線部を折り曲げて衿とした実際の使用状態を示す。
【図４】上記応用例の編成ステップの前半部分を示した図である。
【図５】上記応用例の編成ステップの後半部分を示した図である。
【図６】従来の方法によるミラノリブの編成ステップを示した図である。
【図７】従来のミラノリブの編目ループの組織図を横編機のニードルベッド上方から見た図を図７に示す。
【符号の説明】
１…衿、３…本体部分、５，５ｒ，５ｌ…側端部（パイピング）、１５…前右身頃、１７…衿部、１９…肩ライン、２１…アームホール、２３…脇ライン、２４…脇下部、２５…側端部、２５ａ，２５ｂ…第２パイピング、１０１，１０４，１０７…後天竺コース、１０２，１０５…前天竺コース、１０３，１０６…ゴム編みコース
【図１】
0003650268.tif 000002
【図２】
0003650268.tif 000003
【図３】
0003650268.tif 000004
【図４】
0003650268.tif 000005
【図５】
0003650268.tif 000006
【図６】
0003650268.tif 000007
【図７】
0003650268.tif 000008